(57)【要約】【課題】置き場所の省スペース化を図ることが可能な噴霧装置を提供する。【解決手段】液体ノズル１１とガスノズル１２とを有して液体とともに気体を噴霧させる噴霧器１０と、前記気体が充填されたボンベＢを収容するケース本体８０と、前記噴霧器１０と前記ケース本体８０とを接続して前記ボンベＢと前記ガスノズル１２とを繋ぐ気体通路の一部を構成するチューブＴと、を備え、前記ケース本体８０の上面に、前記噴霧器１０を載置する載置部８９が設けられている。【選択図】図２
2022000300.tif 000002
【特許請求の範囲】
【請求項１】
液体ノズルとガスノズルとを有して液体とともに気体を噴霧させる噴霧器と、
前記気体が充填されたボンベを収容するケース本体と、
前記噴霧器と前記ケース本体とを接続して前記ボンベと前記ガスノズルとを繋ぐ気体通路の一部を構成するチューブと、を備え、
前記ケース本体の上面に、前記噴霧器を載置する載置部が設けられ、
前記液体ノズル及び前記ガスノズルが、前記噴霧器を前記載置部に載置した状態において、前記ケース本体の垂直方向の投影面内に配されている噴霧装置。
【請求項２】
前記載置部は、前記ケース本体の上面に設けられた下方に凹んだ凹部である請求項１に記載の噴霧装置。
【請求項３】
前記噴霧器及び前記載置部が、前記噴霧器を回り止めする回り止め構造を有している請求項１または請求項２に記載の噴霧装置。
【請求項４】
前記ケース本体が、前記ボンベを出し入れする開口部を有して前記ボンベを収容するケース下部と、前記開口部を塞ぐケース上部とを有し、
前記ケース上部が、前記載置部と前記チューブのジョイント部とを備えている請求項１ないし請求項３のいずれか一項に記載の噴霧装置。
【請求項５】
前記噴霧器が、前記ガスノズル及び前記液体ノズルを所定の位置関係で保持するノズル保持部と、気体を噴出させる操作を行うハンドル部とを有し、
前記ハンドル部が、前記ノズル保持部に対し着脱可能とされている請求項１ないし請求項４のいずれか一項に記載の噴霧装置。
【請求項６】
前記噴霧器が、前記液体を収容する液体容器を有し、
前記液体容器が前記載置部に載置される請求項１ないし請求項５のいずれか一項に記載の噴霧装置。
【発明の詳細な説明】
【技術分野】
【０００１】
本発明は、噴霧装置に関する。
【背景技術】
【０００２】
従来、液体ノズルとガスノズルとを有して液体とともに気体を噴霧させる噴霧器と、気体が充填されたボンベを収容するケース本体と、を備えた噴霧装置が知られている。噴霧器とケース本体とは、ボンベとガスノズルとを繋ぐ気体通路の一部を構成するチューブによって接続されている。例えば下記特許文献１に記載の噴霧装置では、噴霧器を保持するための保持部が、ケース本体の下部に設けられている。保持部は、ケース本体から側方に突出している。
【先行技術文献】
【特許文献】
【０００３】
【特許文献１】特開２０１４−３９９１６号公報
【発明の概要】
【発明が解決しようとする課題】
【０００４】
しかしながら、上記のように、保持部がケース本体の側方に突出している構成では、噴霧装置を狭い場所に置くことが難しいという問題があった。
【０００５】
本発明は上記のような事情に基づいて完成されたものであって、置き場所の省スペース化を図ることが可能な噴霧装置を提供することを目的とする。
【課題を解決するための手段】
【０００６】
本発明の噴霧装置は、液体ノズルとガスノズルとを有して液体とともに気体を噴霧させる噴霧器と、前記気体が充填されたボンベを収容するケース本体と、前記噴霧器と前記ケース本体とを接続して前記ボンベと前記ガスノズルとを繋ぐ気体通路の一部を構成するチューブと、を備え、前記ケース本体の上面に、前記噴霧器を載置する載置部が設けられているものである。
【発明の効果】
【０００７】
本発明によれば、載置部がケース本体の横に設けられている場合に比して、噴霧装置の平面的な大きさを小さくすることができるから、置き場所の省スペース化を図ることができる。
【図面の簡単な説明】
【０００８】
【図１】本実施例における噴霧装置を示す斜視図
【図２】噴霧器を載置部に載置した状態の噴霧装置を示す正面図
【図３】噴霧器を載置部に載置した状態の噴霧装置を示す平面図
【図４】噴霧器を載置部に載置した状態の噴霧装置を示す断面図であって、図３のＡ−Ａ位置における断面に相当する断面図
【図５】噴霧器を示す分解斜視図
【図６】噴霧器を示す正面図
【図７】噴霧器を示す側面図
【図８】噴霧器を示す底面図
【図９】液体容器を示す断面図
【図１０】ボトルキャップの係止片と液体ボトルの係止リブとが係止した状態を示す断面斜視図
【図１１】ハンドル部を示す断面図
【図１２】液体容器にハンドル部を取り付けた状態の噴霧器を示す断面図
【図１３】ケース本体を示す分解斜視図
【図１４】ケース本体を示す平面図
【発明を実施するための形態】
【０００９】
本発明の好ましい形態を以下に示す。
本発明の噴霧装置は、前記噴霧器及び前記載置部が、前記噴霧器を回り止めする回り止め構造を有しているものとしてもよい。このような構成によれば、噴出器が回り止めされるから、チューブをケース本体に巻き付けて噴霧装置を保管することができ、置き場所のさらなる省スペース化を図ることができる。
【００１０】
また、本発明の噴霧装置は、前記液体ノズル及び前記ガスノズルが、前記噴霧器を前記載置部に載置した状態において、前記ケース本体の垂直方向の投影面内に配されているものとしてもよい。このような構成によれば、液体ノズルまたはガスノズルがケース本体の側方に突出するものに比して、ノズルに異物が引っ掛かりにくいから、噴霧器の転倒やノズルの損傷を防ぐことができる。
【００１１】
また、本発明の噴霧装置は、前記ケース本体が、前記ボンベを出し入れする開口部を有して前記ボンベを収容するケース下部と、前記開口部を塞ぐケース上部とを有し、前記ケース上部が、前記載置部と前記チューブのジョイント部とを備えているものとしてもよい。このような構成によれば、載置部がケース上部とは別の部位に設けられている場合には、ケース上部を外したときにチューブが引っ張られて噴霧器が転倒する虞がある。しかしながら、本発明によれば、ケース上部と噴霧器とが一体的に扱われるから、そのような噴霧器の転倒を防ぐことができる。
【００１２】
また、本発明の噴霧装置は、前記噴霧器が、前記ガスノズル及び前記液体ノズルを所定の位置関係で保持するノズル保持部と、気体を噴出させる操作を行うハンドル部とを有し、前記ハンドル部が、前記ノズル保持部に対し着脱可能とされているものとしてもよい。このような構成によれば、ハンドル部を取り外すことにより、ガスノズル及び液体ノズルを、例えば液体毎に交換することができる。また、ガスノズルと液体ノズルとが所定の位置関係で固定されるから、ハンドル部の着脱に伴うガスノズルと液体ノズルとの相対的な位置ずれを防止することができる。
また、本発明の噴霧装置は、前記噴霧器が、前記液体を収容する液体容器を有し、前記液体容器が前記載置部に載置されるものとしてもよい。
【００１３】
＜実施例＞
以下、本発明を具体化した一実施例について、図１〜図１４を参照しつつ詳細に説明する。
本実施例における噴霧装置Ｍは、液体ノズル１１とガスノズル１２とを有して液体（例えば、ローション状またはジェル状の化粧料）とともに気体を噴霧させる噴霧器１０と、気体が充填されたボンベＢを収容するケース本体８０と、噴霧器１０とケース本体８０とを接続してボンベＢとガスノズル１２とを繋ぐ気体通路の一部を構成するチューブＴと、を備えている。ボンベＢには、炭酸ガスが液化状態で充填されている。
【００１４】
液体は、噴霧時にはせん断力によってジェルが崩壊して霧状になり、その後、速やかにもとのジェル状に戻るチキソトロピー性に優れたジェル状組成物を使用することが望ましい。このようなジェル状組成物を使用することにより、吹き付け部（使用者の肌等）に吹き付けられた液体は、粘度が速やかに上昇するので液だれし難くすることができる。また、液体容器１４に収容された状態では、液体容器１４が転倒した衝撃によって瞬間的に粘度が低下したとしても、速やかに粘度が上昇するので液漏れを防ぐことができる。
【００１５】
気体は、二酸化炭素を使用することが望ましい。二酸化炭素は血行促進作用を有するため、液体に溶解した二酸化炭素が皮膚に接触することにより、皮膚の血行促進効果が発揮され、美容や健康に好影響を及ぼす。また、二酸化炭素は水や油に溶けやすい性質を有することから、液体とともに皮膚に吹き付けられた二酸化炭素は皮膚から内部に浸透し、血管内に取り込まれる。血管内に二酸化炭素が取り込まれると、ヘモグロビンから酸素が遊離し、細胞内に酸素が供給されて代謝活性が発現される。そのため、二酸化炭素が溶け込んだ液体が肌に吹き付けられることで、より高い美容効果を得る事ができる。
【００１６】
噴霧装置Ｍは、噴霧器１０を使用するときには載置部８９から取り出し（図１参照）、噴霧器１０を使用しないときにはケース本体８０に設けられた載置部８９に載置することができる（図２参照）。以下、各構成部材において、図１の上側を上方、下側を下方として説明する。
【００１７】
噴霧器１０は、ガスノズル１２及び液体ノズル１１を所定の位置関係で保持するノズル保持部１３と、気体を噴出させる操作を行うハンドル部６０とを有している。ハンドル部６０は、ノズル保持部１３に対し着脱自在とされている。
【００１８】
噴霧器１０は、化粧水等の液体を収容する液体容器１４を有している。液体容器１４は、上面が開口した有底筒状をなす液体ボトル１５と、液体ボトル１５の上面側に取り付けられたボトルキャップ１６とを備えている。
【００１９】
液体容器１４は、図６に示すように、全体として、上端（ボトルキャップ１６の上端）から下端（液体ボトル１５の下端）に向かって外径寸法が次第に小さくなる形状をなしている。液体容器１４は、平面視、多角形状（本実施例では、１０角形状）をなしている（図８参照）。
【００２０】
液体ボトル１５の上端部は、図５に示すように、ボトルキャップ１６が着脱自在に螺着されるキャップ螺合部１７とされている。キャップ螺合部１７は、円筒状をなしている。液体ボトル１５のうちキャップ螺合部１７の下側部分（以後、ボトル本体部１８と称する）の外形は、平面視、多角形状（１０角形状）をなしている。ボトル本体部１８は、図９に示すように、上面開口から底に向かって内径及び外径ともに次第に小さくなっている。液体ボトル１５の内周面は、キャップ螺合部１７及びボトル本体部１８の全体において円弧状をなして湾曲している。
【００２１】
液体ボトル１５の内周面には、後述するボトルキャップ１６の係止片２３が係止可能な係止リブ１９が設けられている（図１０参照）。係止リブ１９は、厚さ寸法（液体ボトル１５の周方向の寸法）が小さく、上下方向に長い板状をなしている。係止リブ１９の板面は、液体ボトル１５の内周面に対し略垂直をなしている。
【００２２】
ボトルキャップ１６は、図５に示すように、液体ボトル１５の上面開口を塞ぐ蓋板部２１と、蓋板部２１の外周縁から下方に垂下している側板部２２とを備えている。側板部２２の内周面は円形状をなし、液体ボトル１５のキャップ螺合部１７に外嵌して螺合される。
【００２３】
側板部２２の外周面は、平面視、多角形状（１０角形状）をなしている。ボトルキャップ１６の側板部２２の下端の外形と、液体ボトル１５のボトル本体部１８の上端の外形とは整合している。ボトルキャップ１６が液体ボトル１５に対して正規の閉塞位置にあるときには、図６に示すように、ボトルキャップ１６の外周面の角（多角形状の頂点）の位置と、液体ボトル１５の外周面の角の位置とが周方向において一致し、液体容器１４全体において整合した多角形状をなす。これにより、ボトルキャップ１６と液体ボトル１５とで角の位置が周方向にずれている場合には、ボトルキャップ１６が正規の閉塞位置からずれていることを知ることができる。
【００２４】
ボトルキャップ１６には、図１０に示すように、液体ボトル１５の係止リブ１９に係止可能な係止片２３が設けられている。係止片２３は、片持ち状をなして上下方向に弾性撓み可能とされている。係止片２３の自由端（先端）には、下向き（内向き）に爪部２４が突設されている。
【００２５】
ボトルキャップ１６の側板部２２を液体ボトル１５のキャップ螺合部１７に外嵌してボトルキャップ１６を閉塞方向に回転させると、係止片２３の爪部２４が、液体ボトル１５の係止リブ１９に当接した後、係止片２３が上側に弾性撓みして爪部２４が係止リブ１９に乗り上がる。ボトルキャップ１６が液体ボトル１５に対して正規の閉塞位置に至ると、係止片２３が下側に弾性復帰して爪部２４が係止リブ１９に係止する。これにより、ボトルキャップ１６は、開放方向の回転が制限され、液体ボトル１５に対して正規の閉塞位置にロックされる。また、使用者は、係止片２３が係止リブ１９を乗り越える動作により、ボトルキャップ１６が正規の閉塞位置に至ったクリック感を得ることができる。
【００２６】
ボトルキャップ１６は、図５に示すように、外装部２５と、外装部２５の内側に組み込まれるノズルストッパ部２６及びノズル台座部２７を有している。ノズルストッパ部２６及びノズル台座部２７は、ノズル保持部１３の一部を構成する。
【００２７】
外装部２５は、蓋板部２１の表側（上側）の部分を構成する蓋板表面部２８と、側板部２２とを有している。ノズルストッパ部２６は、蓋板部２１の裏側（下側）の部分を構成する蓋板裏面部２９と、蓋板裏面部２９の上面に立設されたストッパ本体部３１とを有している。ノズル台座部２７は、概ねＬ字型をなす部品であり、ノズルストッパ部２６の上側に組み付けられている。
【００２８】
係止片２３は、図９に示すように、ノズルストッパ部２６の蓋板裏面部２９に形成されている。係止片２３は、蓋板裏面部２９の裏面側に設けられ、蓋板裏面部２９のうち係止片２３の表側（上側）には、他の部分よりも一段下がった窪み部２９Ａが形成されている。これにより、蓋板裏面部２９が蓋板表面部２８の裏面に両面テープ９０で取り付けられた状態において、係止片２３の上側の蓋板表面部２８との間に、係止片２３が上方に弾性変位できる変位空間３２が形成される。なお、蓋板表面部２８側にも窪み部２８Ａが形成されている。
【００２９】
ノズル保持部１３は、図９に示すように、ボトルキャップ１６に設けられている。ノズル保持部１３は、ガスノズル１２及び液体ノズル１１を、ガスノズル１２の先端開口３３の中心軸線と、液体ノズル１１の先端開口３４の中心軸線とが直交し、かつ近接する位置関係で保持している。液体ノズル１１の先端開口３４及びガスノズル１２の先端開口３３は、平面視、液体容器１４の投影面内（ボトルキャップ１６の略中心）に配されている。
【００３０】
ガスノズル１２は、気体を噴出するための先端開口３３が設けられたガスノズル先端部３５と、ガスノズル先端部３５の後方（気体の噴出方向における後側）に連なって設けられたガスノズル本体部３６とを有している。ガスノズル先端部３５の外周は、先端開口３３に向かって次第に細くなる形状に形成されている。
【００３１】
ガスノズル本体部３６の前端部には、径方向の外側に一段突出した鍔部３７が設けられている。ガスノズル本体部３６の後端部には、中継管６１が接続される中継接続部３９が設けられている。中継接続部３９は、中継管６１の端部に内嵌する。
【００３２】
中継接続部３９には、後述する中継管６１のボール７４が嵌合することで、ガスノズル１２と中継管６１とが軸方向に連結される連結凹部３８が設けられている。連結凹部３８は、前後の部分に比して外径寸法が小さくされた部分であり、周方向に連続した溝状をなしている。連結凹部３８の後側には、ハンドル部６０の着脱時に中継管６１のボール７４が乗り越える着脱凸部４１が設けられている。
【００３３】
液体ノズル１１は、液体を噴出するための先端開口３４が設けられた液体ノズル先端部４２と、液体ノズル先端部４２の下側に連なって設けられた液体ノズル本体部４３とを有している。液体ノズル先端部４２の外周は、先端開口３４に向かって次第に細くなる形状に形成されている。液体ノズル本体部４３の中間部には、後述する液体ノズル貫通孔５３に嵌着される嵌着部４４が設けられている。嵌着部４４は、上下の部分に比して一段径方向の外側に突出している。嵌着部４４には、液体ノズル貫通孔５３に密着して液漏れを防ぐＯリング９１が嵌着されている。液体ノズル本体部４３の下端部には、液体容器１４の内部に垂下される吸い上げチューブ４５が接続されている。吸い上げチューブ４５は可撓性を有し、液体容器１４の底まで垂下している。
【００３４】
ノズル保持部１３は、図９に示すように、先端開口３３の中心軸線が水平となる水平姿勢でガスノズル１２を保持するガスノズル保持部４６と、先端開口３４の中心軸線が垂直となる垂直姿勢で液体ノズル１１を保持する液体ノズル保持部５２とを備えている。
【００３５】
ガスノズル保持部４６は、ガスノズル１２の前端部を保持し、ガスノズル１２の後方部分は、ガスノズル保持部４６から後側に突出して配される。
ガスノズル保持部４６は、ガスノズル１２が水平姿勢で貫通されるガスノズル貫通孔４７を有している。ガスノズル貫通孔４７は、中心軸線が水平に延びる円形状の穴である。ガスノズル貫通孔４７は、ガスノズル先端部３５が貫通するガスノズル貫通部４８と、ガスノズル本体部３６の前端部が嵌め込まれるガスノズル嵌合部４９とを有している。
【００３６】
ガスノズル保持部４６に保持された状態のガスノズル１２は、ガスノズル先端部３５がガスノズル貫通孔４７から前方に突出し、ガスノズル本体部３６のうち鍔部３７よりも後側の部分（ガスノズル本体部３６の半分以上）が後方に突出する。
【００３７】
ノズル保持部１３は、図９に示すように、液体ノズル１１を垂直姿勢に保持する液体ノズル保持部５２を有している。液体ノズル保持部５２は、液体ノズル１１が垂直姿勢で貫通される液体ノズル貫通孔５３を有している。液体ノズル貫通孔５３は、中心軸線が垂直に延びる円形状の穴である。液体ノズル貫通孔５３は、液体ノズル先端部４２が貫通する液体ノズル貫通部５４と、液体ノズル本体部４３の嵌着部４４が嵌着される液体ノズル嵌着部５５とを有している。
【００３８】
液体ノズル保持部５２に保持された状態の液体ノズル１１は、液体ノズル先端部４２が液体ノズル貫通孔５３から上方に突出し、他の部分が液体ノズル嵌着部５５に収まっている。
【００３９】
ガスノズル貫通孔４７のうちガスノズル嵌合部４９は、ノズル台座部２７に形成されている。また、液体ノズル貫通孔５３のうち液体ノズル嵌着部５５は、ノズルストッパ部２６のストッパ本体部３１からノズル台座部２７にわたって形成されている。液体ノズル貫通部５４及びガスノズル貫通部４８は、外装部２５に設けられている。
【００４０】
ノズル保持部１３は、ガスノズル１２及び液体ノズル１１の先端開口３３，３４の両側に立つ一対の保護壁５７を備えている。一対の保護壁５７は、図７に示すように、ガスノズル１２及び液体ノズル１１の先端部３５，４２を挟んで互いに対向している。一対の保護壁５７により、ガスノズル先端部３５及び液体ノズル先端部４２は、側方（気体の噴出方向を前方として左右両側）から視認できなくなっている。保護壁５７は、ボトルキャップ１６の外装部２５の蓋板表面部２８に立設されている。なお、一対の保護壁５７の間には、ノズル台座部２７及びノズルストッパ部２６の前面側を覆うカバー部５８が設けられている。
【００４１】
保護壁５７の後縁部は、図６に示すように、ハンドル部６０の着脱方向に対して傾斜したノズル側傾斜部５９とされている。ノズル側傾斜部５９は、前端から後方に向かって次第に下がるように傾斜している。
【００４２】
ハンドル部６０は、図１１に示すように、ガスノズル１２に接続されて気体通路の一部を構成する中継管６１と、中継管６１とチューブＴとの間に接続されて気体通路の一部を構成する中継部品６２と、中継管６１及び中継部品６２を保持するハウジング６３とを備えている。
【００４３】
ハウジング６３は、全体として、細長い棒状をなしている。ハウジング６３の前縁部には、ハンドル部６０の着脱方向に対してノズル側傾斜部５９と同じ向きに傾斜するハンドル側傾斜部６４が設けられている。ハンドル側傾斜部６４は、前端から後方に向かって次第に下がるように傾斜している。ハンドル部６０がノズル保持部１３に取り付けられている状態では、ハンドル側傾斜部６４とノズル側傾斜部５９とが着脱方向に近接または当接して配される。
【００４４】
ハウジング６３は、図５に示すように、上下に分割されており、互いに合体可能な上パーツ６５及び下パーツ６６を備えている。上パーツ６５と下パーツ６６とは、ネジ９２で合体状態に固定される。ネジ９２の頭部は、ＰＥＴシート９３で覆われる。
【００４５】
上パーツ６５には、後述するシャフト７８の上端部が上下方向に貫通される上穴部６７が形成されている。上穴部６７から突出したシャフト７８の上端に、操作ボタン６８が取り付けられている。
【００４６】
下パーツ６６には、中継部品６２の下端部を下方に突出させる下穴部６９が設けられている。下穴部６９から突出した中継部品６２の下端部に、チューブＴの一端が接続されている。
【００４７】
中継管６１は、円筒状をなしている。中継管６１は、ガスノズル１２の中継接続部３９の外側に嵌合するノズル嵌合部７１を有している。ノズル嵌合部７１の一部は、ハンドル側傾斜部６４からガスノズル１２に対する嵌合方向前方に突出している（図１１参照）。
【００４８】
ノズル嵌合部７１は、図１１に示すように、内部に嵌合されたガスノズル１２の中継接続部３９の後面と前後方向に対向する奥面７２を有している。ノズル嵌合部７１の奥端部には、Ｏリング９４が嵌着されている。Ｏリング９４は、ノズル嵌合部７１に前方から組み込まれている。Ｏリング９４は、ノズル嵌合部７１の奥端に位置し、ガスノズル１２の後面に押圧されてノズル嵌合部７１の奥面７２に密着し、ガスノズル１２と中継管６１との間の気体の漏れを防ぐ。なお、Ｏリング９４の孔は、気体通路になる。
【００４９】
中継管６１には、Ｏリング９４の前方への離脱を防ぐストッパ部品７３が設けられている。ストッパ部品７３は、ノズル嵌合部７１にＯリング９４を収容した後に中継管６１に組み付けられる。ストッパ部品７３は、Ｏリング９４の前方において内側に突出し、中継管６１の内径を狭めることでＯリング９４の抜け出しを防ぐ。ストッパ部品７３は、一対が、中継管６１の径方向の両側に対向配置されている。
【００５０】
ノズル嵌合部７１には、図１１に示すように、ガスノズル１２の連結凹部３８に嵌合可能なボール７４が備えられている。ボール７４は、ノズル嵌合部７１の外周面に、周方向の移動を規制されるとともに、板バネ７５により径方向外側への移動を規制された状態で保持されている。ボール７４は、ノズル嵌合部７１の径方向の両側に一対が設けられている。板バネ７５は、中継管６１の軸線方向に長い形状をなし、長手方向の一端側がネジ９５で固定され、他端側がボール７４を抑えている。板バネ７５は、各ボール７４に一ずつ設けられている。
【００５１】
中継管６１の後端部は、中継部品６２に螺合されて接続される。中継部品６２は、上下方向に貫通する管であり、中継管６１は、中継部品６２の中間部に接続されて中継部品６２に連通する。中継管６１の後端部と中継部品６２との間には、これらに密着して気体の漏れ出しを防ぐＯリング１０１が装着されている。
【００５２】
中継部品６２は、シャフト７８が挿通される挿通管部７６と、チューブＴの一端が接続される接続管部７７とを有している。挿通管部７６と接続管部７７とは、互いに螺合されて連結される。挿通管部７６と接続管部７７との間には、これらの間から気体が漏れ出すことを防ぐＯリング９６が備えられている。
【００５３】
挿通管部７６の内部に挿通されたシャフト７８の上端は、ハウジング６３から上方に突出し、操作ボタン６８が取り付けられている。シャフト７８には、挿通管部７６の内周面に密着してシャフト７８と挿通管部７６との間からの気体の漏れを防ぐＯリング９７と、常には挿通管部７６の内周面に密着してシャフト７８と挿通管部７６との間からの気体の漏れを防ぐとともに、操作ボタン６８が操作されたときには、挿通管部７６の内周面から離れて気体通路を開放するＯリング９８とが嵌着されている。Ｏリング９７は、シャフト７８の中間部に設けられ、Ｏリング９８は、シャフト７８の下端部に設けられている。Ｏリング９８は、シャフト７８の下端部において径方向の外側に突出して設けられたフランジ部７８Ｆによって下方への離脱が規制されている。
【００５４】
シャフト７８の下側には、常にはシャフト７８を上方に付勢してＯリング９８を中継部品６２の内周面に密着させるスプリング７９が備えられている。スプリング７９は、フランジ部７８Ｆの下側に配されて接続管部７７の内部に収容されている。スプリング７９の上端部はシャフト７８の下端部に外嵌している。
【００５５】
常には、スプリング７９の付勢によりシャフト７８が上方に付勢されて、Ｏリング９８が中継部品６２の内周面に密着し、気体通路が閉鎖されている。操作ボタン６８を押し下げ操作すると、スプリング７９の付勢力に抗してシャフト７８が下方に変位し、Ｏリング９８が中継部品６２の内周面から離れて、気体通路が開放される。これにより、ボンベＢに充填された気体が、チューブＴ、中継部品６２、中継管６１を介してガスノズル１２に供給され、ガスノズル１２の先端開口３３から噴出される。ガスノズル１２の先端開口３３からの気体の噴出に伴う負圧によって、液体容器１４内の液体が吸い上げられ、液体ノズル１１の先端開口３４から気体の噴流に乗って噴霧される。
【００５６】
ケース本体８０は、図１３に示すように、ボンベＢを出し入れする開口部を有してボンベＢを収容するケース下部８１と、開口部を塞ぐケース上部８２とを有している。噴霧器１０を載置する載置部８９は、ケース本体８０の上面に設けられている。ケース上部８２は、上下方向に開口する筒状をなす周壁部８２Ａと、周壁部８２Ａの上面側に組み付けられる上壁部８２Ｂとを有している。載置部８９は、上壁部８２Ｂに設けられている。噴霧器１０及び載置部８９は、噴霧器１０を回り止めする回り止め構造を有している。回り止め構造については、後ほど詳しく説明する。
【００５７】
ケース下部８１は、縦長で有底の円筒状をなしている。ケース下部８１の上端部には、ケース上部８２の突起が係止可能なケース溝８３が形成されている。ケース溝８３は、ケース下部８１の内周面に形成され、ケース下部８１の上端から下方に延びた後、周方向に屈曲したＬ字状をなしている。ケース溝８３のうち周方向に延びた部分にケース上部８２のケース突起８７が入ることにより、ケース上部８２の離脱を防ぐことができる。
【００５８】
ケース上部８２には、気体の圧力や量を調整するレギュレータ８４が装着されている。レギュレータ８４は、ネジ９９及びナット１００によりケース上部８２に固定されている。レギュレータ８４は、ボンベＢの上端開口部８５Ｈを封止する封止板に刺し通されるニードル部（図示せず）を備えている。レギュレータ８４の側面には、チューブＴが接続されるジョイント部８５が設けられている。ジョイント部８５は、ケース上部８２の開口部８５Ｈを介して外部に露出している。ジョイント部８５は、ケース上部８２の下部に配されている。
【００５９】
ケース上部８２は、ケース下部８１に嵌合するケース嵌合部８６を有している。ケース嵌合部８６は、ケース上部８２の下端部に設けられ、ケース下部８１の内側に嵌合する。ケース嵌合部８６には、ケース上部８２に係止するケース突起８７が設けられている。ケース突起８７は、ケース下部８１のケース溝８３に入り込んでケース上部８２の離脱を防ぐ。
【００６０】
さて、ケース上部８２には、載置部８９が設けられている。載置部８９には、液体容器１４の下端部が載置される。載置部８９は、ケース上部８２の上面に設けられた下方にへこんだ有底の凹部であり、上方から噴霧器１０が嵌合・離脱される。載置部８９の内周面は、平面視、多角形状（１０角形状）をなし、液体容器１４の外形に整合している。これにより、載置部８９に載置された噴霧器１０は、回り止めされた状態に保持される。すなわち噴霧器１０は、液体容器１４の外周面の角と、載置部８９の内周面の角とが合う向きで載置部８９に嵌め込まれる。多角形を構成する各面が互いに近接し、これらが互いに当接することにより噴霧器１０の回り止めがなされる。すなわち、液体容器１４及び載置部８９が多角形状をなしていることが、噴霧器１０を回り止めする回り止め構造となっている。
【００６１】
なお、載置部８９の上方には、載置部８９に向かって下る傾斜をなす傾斜面８８が設けられている。傾斜面８８は、ケース本体８０を正面側から見ると、幅方向の中央に向かって下がるように湾曲している。
【００６２】
噴霧器１０を載置部８９に載置した状態では、図３に示すように、ガスノズル１２及び液体ノズル１１がケース本体８０の垂直方向の投影面内に配されている。液体ノズル１１は、上方から見ると、ケース本体８０の中心に位置している。
【００６３】
次に、本実施例における噴霧装置Ｍの使用方法の一例を説明する。
ボトルの交換は、ケース上部８２を取り外して行う。噴霧器１０が載置されている状態のケース上部８２を若干回動して上方に持ち上げると、ケース下部８１の開口が開き状態になる。ボトルを交換した後、ケース上部８２を取り付けることによりボトルの交換作業が完了する。この作業において、噴霧器１０とケース上部８２とは一体的に取り扱われる。
【００６４】
液体容器１４の交換は、噴霧器１０を載置部８９から取り出して行う。
まず、液体容器１４からハンドル部６０を取り外す。ハンドル部６０を離脱方向（図１２では右方向）に引っ張ると、板バネ７５を弾性撓みさせてボール７４が着脱凸部４１を乗り越え、連結凹部３８から離脱して係止状態が解除され、ハンドル部６０が取り外される。
【００６５】
次に、交換された液体容器１４にハンドル部６０を取り付ける。ハンドル側傾斜部６４が、ノズル側傾斜部５９の傾斜と同じ向きになるようにする。中継管６１のノズル嵌合部７１をガスノズル１２の中継接続部３９に位置合わせして押し込む。中継管６１のノズル嵌合部７１が、ガスノズル１２の中継接続部３９に外嵌し、ボール７４が板バネ７５を弾性撓みさせて着脱凸部４１を乗り越え、連結凹部３８に嵌合する。板バネ７５は、弾性復帰してボール７４を押さえた状態になる。これにより、ガスノズル１２と中継管６１とが直線状をなして嵌合し、中継管６１とガスノズル１２とが接続状態にロックされる。こうして液体容器１４の交換作業が完了する。
【００６６】
次に、上記のように構成された実施例の作用および効果について説明する。
本実施例の噴霧装置Ｍは、液体ノズル１１とガスノズル１２とを有して液体とともに気体を噴霧させる噴霧器１０と、気体が充填されたボンベＢを収容するケース本体８０と、噴霧器１０とケース本体８０とを接続してボンベＢとガスノズル１２とを繋ぐ気体通路の一部を構成するチューブＴと、を備え、ケース本体８０の上面に、噴霧器１０を載置する載置部８９が設けられている。この構成によれば、載置部がケース本体の横に設けられている場合に比して、噴霧装置Ｍの平面的な大きさを小さくすることができるから、置き場所の省スペース化を図ることができる。
【００６７】
また、噴霧器１０及び載置部８９が、噴霧器１０を回り止めする回り止め構造を有している。この構成によれば、噴出器が回り止めされるから、チューブＴをケース本体８０に巻き付けて噴霧装置Ｍを保管することができ、置き場所のさらなる省スペース化を図ることができる。
【００６８】
また、液体ノズル１１及びガスノズル１２が、噴霧器１０を載置部８９に載置した状態において、ケース本体８０の垂直方向の投影面内に配されている。この構成によれば、液体ノズルまたはガスノズルがケース本体の側方に突出するものに比して、ノズルに異物が引っ掛かりにくいから、噴霧器１０の転倒やノズルの損傷を防ぐことができる。
【００６９】
ケース本体８０が、ボンベＢを出し入れする開口部を有してボンベＢを収容するケース下部８１と、開口部を塞ぐケース上部８２とを有し、ケース上部８２が、載置部８９とチューブＴのジョイント部８５とを備えている。ここで、載置部がケース上部とは別の部位に設けられている場合には、ケース上部を外したときにチューブが引っ張られて噴霧器が転倒する虞がある。しかしながら、本実施例の構成によれば、ケース上部８２と噴霧器１０とが一体的に扱われるから、そのような噴霧器１０の転倒を防ぐことができる。
【００７０】
また、噴霧器１０が、ガスノズル１２及び液体ノズル１１を所定の位置関係で保持するノズル保持部１３と、気体を噴出させる操作を行うハンドル部６０とを有し、ハンドル部６０が、ノズル保持部１３に対し着脱可能とされている。この構成によれば、ハンドル部６０を取り外すことにより、ガスノズル１２及び液体ノズル１１を、例えば液体毎に交換することができる。また、ガスノズル１２と液体ノズル１１とが所定の位置関係で固定されるから、ハンドル部６０の着脱に伴うガスノズル１２と液体ノズル１１との相対的な位置ずれを防止することができる。
【００７１】
＜他の実施例＞
本発明は上記記述及び図面によって説明した実施例に限定されるものではなく、例えば次のような実施例も本発明の技術的範囲に含まれる。
（１）上記実施例では、ケース本体８０に１つの載置部８９が設けられているが、これに限らず、ケース本体に複数の載置部を設けて、複数種類の液体容器を置くことができるようにしてもよい。これにより、使用していない複数の液体容器を適切に保管することができる。
（２）上記実施例では、載置部８９は、下方に凹む凹部とされているが、これに限らず、例えば、ケース本体の上面に複数の柱状部材を立てることにより、その柱状部材によって囲まれた部分を載置部としてもよい。
（３）上記実施例では、載置部８９は、上方から噴霧器１０が載置されるものとされているが、これに限らず、載置部は、例えば側方（水平方向）から噴霧器が嵌め込まれるもの等としてもよい。
（４）上記実施例では、載置部８９に、噴霧器１０の液体容器１４が載置されるものとしているが、これに限らず、載置部に、例えば噴霧器のハンドル部が載置されるものとしてもよい。
（５）上記実施例では、液体容器１４及び載置部８９が多角形状をなしていることが、噴霧器１０を回り止めする回り止め構造となっているが、これに限らず、回り止め構造として、液体容器及び載置部の形状を、例えば楕円や長円形等としてもよく、また噴霧器または載置部に回り止めの突起を設ける等としてもよい。
（６）上記実施例では、液体ノズル１１及びガスノズル１２が、噴霧器１０を載置部８９に載置した状態において、ケース本体８０の垂直方向の投影面内に配されているが、例えばケース本体の側面が段差状のときには、液体ノズル及びガスノズルが、最も外側の面より内側にある場合であっても、ノズルと異物とを引っ掛かりにくくすることができる。
【符号の説明】
【００７２】
Ｂ…ボンベ
Ｍ…噴霧装置
Ｔ…チューブ
１０…噴霧器
１１…液体ノズル
１２…ガスノズル
１３…ノズル保持部
１４…液体容器
６０…ハンドル部
８０…ケース本体
８１…ケース下部
８２…ケース上部
８５…ジョイント部
８９…載置部
【図１】
2022000300.tif 000003
【図２】
2022000300.tif 000004
【図３】
2022000300.tif 000005
【図４】
2022000300.tif 000006
【図５】
2022000300.tif 000007
【図６】
2022000300.tif 000008
【図７】
2022000300.tif 000009
【図８】
2022000300.tif 000010
【図９】
2022000300.tif 000011
【図１０】
2022000300.tif 000012
【図１１】
2022000300.tif 000013
【図１２】
2022000300.tif 000014
【図１３】
2022000300.tif 000015
【図１４】
2022000300.tif 000016
【手続補正書】
【提出日】令和3年9月29日(2021.9.29)
【手続補正１】
【補正対象書類名】特許請求の範囲
【補正対象項目名】全文
【補正方法】変更
【補正の内容】
【特許請求の範囲】
【請求項１】
液体ノズルとガスノズルとを有して液体とともに気体を噴霧させる噴霧器と、
前記気体が充填されたボンベを収容するケース本体と、
前記噴霧器と前記ケース本体とを接続して前記ボンベと前記ガスノズルとを繋ぐ気体通路の一部を構成するチューブと、を備え、
前記ケース本体が、前記ボンベを出し入れする開口部を有して前記ボンベを収容するケース下部と、前記開口部を塞ぐケース上部とを有し、
前記ケース上部に、気体の圧力や量を調整するレギュレーターと、前記チューブのジョイント部と、前記噴霧器を載置する載置部と、が備えられている噴霧装置。
【請求項２】
前記噴霧器及び前記載置部が、前記噴霧器を回り止めする回り止め構造を有している請求項１に記載の噴霧装置。
【請求項３】
前記噴霧器が、前記ガスノズル及び前記液体ノズルを所定の位置関係で保持するノズル保持部と、気体を噴出させる操作を行うハンドル部とを有し、
前記ハンドル部が、前記ノズル保持部に対し着脱可能とされている請求項１または請求項２に記載の噴霧装置。